(57)【特許請求の範囲】
【請求項１】
複数の支柱と、複数の壁面材と、壁面を形成するように前記壁面材を前記支柱に取り付ける取付具と、を備えた壁であって、
前記取付具は、前記壁面材に設けられた被取付金具と、前記支柱に設けられた取付金具と有し、
前記被取付金具は、軸部と、この軸部よりも径の大きな頭部とを有し、前記壁面材の裏側コーナー部に水平方向にスライド自在に突設され、
前記取付金具は、前記壁面材の裏側に当接される板状部材を有し、該板状部材の周縁に斜めに開口する複数の切欠きが形成されており、
前記壁面材は、前記被取付金具の軸部が前記取付金具の開口を通して切欠き内に挿嵌されることにより、前記取付金具を介して支柱に取り付けられ、
前記切欠きは、前記開口が前記取付金具の上縁にある状態にて前記被取付金具の軸部が前記開口を通して当該切欠き内に挿嵌されるとき、該軸部の中心軌跡が斜め下方に移動した後、続いてそれとは逆の斜め下方に移動するような形状とされ、かつ、
前記取付金具は、前記状態にて前記切欠きが前記開口に向けて右傾している一の種類と、左傾している他の種類とがあり、前記一の種類の取付金具は、先に設けられた壁面材の右隣りに別の壁面材を立設するために用いられ、前記他の種類の取付金具は、先に設けられた壁面材の左隣りに別の壁面材を立設するために用いられることを特徴とする壁。
【請求項２】
請求項１に記載の壁に用いられる壁面材。
【請求項３】
請求項１に記載の壁に用いられる取付具。
【発明の詳細な説明】
【技術分野】
【０００１】
本発明は、複数の壁面材で構成され、擁壁、防音壁等として用いられる壁と、この壁に用いられる壁面材及び取付具に関する。
【背景技術】
【０００２】
従来から、等間隔に立設した複数の支柱に一定寸法の壁面材を取り付けて構成した壁が知られている（例えば、特許文献１参照）。この壁における、壁面材を支柱に取り付ける構造を図９に示す。この壁１００では、壁面材１０３の左右両端部にボルト留めされたＺ型金物１０４と壁面材１０３自身とで支柱１０２を挟むことによって、壁面材１０３を支柱１０２に取り付けている。このような壁１００では、壁面材１０３は工場で製造されるので寸法精度が高いが、支柱１０２は現場で立設されるので立設間隔に誤差が生じやすい。この誤差のため、壁面材１０３を支柱１０２に取り付けることは容易ではない。また、もし、壁面材１０３が衝撃等を受けて中央付近Ｘで２つに破断すると、破断した壁面材１０３は、支柱１０２から落下する。
【先行技術文献】
【特許文献】
【０００３】
【特許文献１】特開２００３−２５３６７５号公報
【発明の概要】
【発明が解決しようとする課題】
【０００４】
本発明は、上記問題を解決するものであり、立設した複数の支柱に壁面材を取り付けて構成される壁において、支柱の間隔に誤差があっても、壁面材を支柱に容易に取り付けることができるようにすることを目的とする。
【課題を解決するための手段】
【０００５】
本発明は、複数の支柱と、複数の壁面材と、壁面を形成するように前記壁面材を前記支柱に取り付ける取付具と、を備えた壁であって、前記取付具は、前記壁面材に設けられた被取付金具と、前記支柱に設けられた取付金具と有し、  前記被取付金具は、軸部と、この軸部よりも径の大きな頭部とを有し、前記壁面材の裏側コーナー部に水平方向にスライド自在に突設され、前記取付金具は、前記壁面材の裏側に当接される板状部材を有し、該板状部材の周縁に斜めに開口する複数の切欠きが形成されており、前記壁面材は、前記被取付金具の軸部が前記取付金具の開口を通して切欠き内に挿嵌されることにより、前記取付金具を介して支柱に取り付けられ、前記切欠きは、前記開口が前記取付金具の上縁にある状態にて前記被取付金具の軸部が前記開口を通して当該切欠き内に挿嵌されるとき、該軸部の中心軌跡が斜め下方に移動した後、続いてそれとは逆の斜め下方に移動するような形状とされ、かつ、前記取付金具は、前記状態にて前記切欠きが前記開口に向けて右傾している一の種類と、左傾している他の種類とがあり、前記一の種類の取付金具は、先に設けられた壁面材の右隣りに別の壁面材を立設するために用いられ、前記他の種類の取付金具は、先に設けられた壁面材の左隣りに別の壁面材を立設するために用いられることを特徴とする。
【０００６】
本発明は、上記壁に用いられる壁面材である。
【０００７】
本発明は、上記壁に用いられる取付具である。
【発明の効果】
【０００８】
本発明の壁によれば、壁面材が取付具を介してスライド自在に支柱に取り付けられるので、支柱の間隔に誤差があっても、壁面材を支柱に容易に取り付けることができる。また、壁面材や取付具を用いて、上記壁を容易に作成することができる。
【図面の簡単な説明】
【０００９】
【図１】本発明の一実施形態に係る壁の正面透視図。
【図２】同壁の断面図。
【図３】（ａ）は同壁における壁面材の断面図、（ｂ）は同壁面材の背面図。
【図４】同壁面材に設けられる被取付金具の断面図。
【図５】同壁における支柱に設けられる取付金具の正面図。
【図６】（ａ）は同取付金具の側面図、（ｂ）は図４のＡ−Ａ線断面図、（ｃ）は図４のＢ−Ｂ線断面図。
【図７】同取付金具における切欠きの正面図。
【図８】（ａ）は右傾した切欠きを有する同取付金具の正面図、（ｂ）は左傾した切欠きを有する同取付金具の正面図。
【図９】従来の壁における支柱に壁面材を取り付ける構造の断面図。
【発明を実施するための形態】
【００１０】
本発明の一実施形態に係る壁を図１乃至図８を参照して説明する。図１及び図２に示されるように、壁１は、複数の支柱２と、複数の壁面材３と、壁面を形成するように壁面材３を支柱２に取り付ける取付具４とを備える。支柱２は、例えばＨ型鋼から成り、地面Ｇ上に略等間隔に立設される。取付具４は、被取付金具５と、取付金具６とを有する。なお、図１において、被取付金具５と取付金具６とは、壁面材３を透視して実線で示しているが、本来は破線で描かれるものである。
【００１１】
被取付金具５は、壁面材３の裏側の上方部及び下方部に水平方向にスライド自在に突設される。この突設の構造は、後述の図４において説明する。図１では、被取付金具５が固定されているように描かれているが、壁面材３の裏側に設けられた水平方向の溝部３２に沿ってスライド移動自在である。取付金具６は、支柱２に固定された受け金具２１を介して支柱２に設けられる。互いに隣接する支柱２の上端は、鉄板等で水平方向に連結され、高さが揃えられる。受け金具２１を支柱２に固定する高さは、支柱２の上端を基準に定められる。
【００１２】
図３（ａ）は図２のＹ−Ｙ断面における壁面材３の断面形状を示し、図３（ｂ）は、壁面材３の裏側を示す。壁面材３は、四辺形の板状であり、裏面３１の上端付近及び下端付近に水平方向の溝部３２を有する。溝部３２は、壁面材３の裏面３１に開口している溝幅よりも内部における溝幅のほうが拡幅されている。壁面材３には、剛性を高めるためのリブ３３が裏面３１に形成される。このような形状の壁面材３は、押出成形により製造され、例えば、押出成形セメント板である。押出成形セメント板は、セメントにポリプロピレン系補強繊維等の樹脂繊維が含有されており、強度が高い。
【００１３】
図４に示されるように、被取付金具５は、軸部５１と、軸部５１よりも径の大きな頭部５２と、略半円筒形状の支持板５３とを有する。壁面３の溝部３２の内部は、支持板５３に対応する断面形状に形成されている。被取付金具５は、支持板５３が溝部３２に挿入されることによって、軸部５１と頭部５２が壁面材３の裏側に突設され、溝部３２の長手方向にスライド自在となる。溝部３２の断面形状は、図示のものに限られず、軸部５１が通る狭い溝幅の開口部と、拡幅された内部とを有するものであれば、任意である。支持板５３は、溝部３２の形状に合ったものであればよい。また、軸部５１の長さは、被取付金具５が壁面材３に突設されたときに、頭部５２と壁面材３との間に所定の隙間ができるように設定される。その隙間に取付金具６が嵌合される。
【００１４】
図５及び図６（ａ）（ｂ）（ｃ）に示されるように、取付金具６は、壁面材３の裏側に当接される板状部材６１を有し、板状部材６１の周縁に斜めに開口する複数の切欠き６２が形成される。板状部材６１は、例えば、鉄板をプレス成形したものである。板状部材６１の形状は、平面視略矩形であり、壁面材３に当接された状態における上辺と下辺のコーナー部に切欠き６２が形成され、切欠き６２が開口していない周縁に、補強のための周リブ６３が形成される。また、板状部材６１は、中央部が略円錐台形状に成形され、壁面材３に当接する側に凹部６４を有し、凹部６４の中心に孔６５を有する。
【００１５】
支柱２の受け金具２１には、取付金具６と同様の形状の切欠きが形成されている。取付金具６の孔６５に挿通されるボルト２２の軸部が受け金具２１の切欠き内に挿嵌されることにより、取付金具６は、支柱２に取り付けられる。また、被取付金具５の軸部５１が取付金具６の開口を通して切欠き内６２に挿嵌されることにより、壁面材３は、取付金具６を介して支柱２に取り付けられる（図１参照）。
【００１６】
図７に示されるように、切欠き６２は、縦長の略Ｕ字形状であり、長手方向が鉛直方向に対して斜めになるように形成され、板状部材６１の周縁に斜めに開口している。切欠き６２の長手方向が鉛直方向に対して成す角度θは、約２０°とされる。切欠き６２の長手方向に直交する幅Ｗは、被取付金具５の軸部５１の直径よりも大きく、頭部５２の直径よりも小さい。被取付金具５の軸部５１は、切欠き６２内に挿嵌される。取付金具３は、切欠き６２内に挿嵌された状態の被取付金具５の軸部５１（二点鎖線で示す）が切欠き６２開口側へ抜脱することを防止する凸部６６ａ、６６ｂ、６６ｃ（総称して、６６）を切欠き６２の縁に有する。凸部６６ａ、６６ｃにより、切欠き６２内に挿嵌された状態の軸部５１の中心から斜め４５°上方（矢印Ｆ１、Ｆ２方向）の切欠き６２の縁に、軸部５１の外周円に対応する形状の円弧部６６ａＲ、６６ｃＲが形成される（斜線を付した部分）。
【００１７】
被取付金具５の軸部５１が切欠き６２に挿嵌されるときの軸部５１の中心軌跡を矢印Ｔで示す。切欠き６２は、長手方向が斜めになるように形成されているので、軸部５１は、切欠き６２内を斜め下に移動して挿嵌される。このため、壁面材３は、斜め下に落とし込むようにして取付金具６と結合されるので、壁１の施工時に、横方向に隣接する壁面材３同士の干渉を避けることができる。取付金具３は、図８（ａ）（ｂ）に示されるように、形状が鏡像関係にある２種類のものが用いられる。切欠き６２の長手方向が右傾している取付金具３は、先に立設された壁面材３の右隣に別の壁面材３を立設するために用いられ（図８（ａ）参照）、切欠き６２の長手方向が左傾している取付金具３は、先に立設された壁面材３の左隣に別の壁面材３を立設するために用いられる（図８（ｂ）参照）。
【００１８】
切欠き６２内に挿嵌された軸部５１は、壁面材３の重量によって切欠き６２内に保持される。壁面材３に圧力が加わった場合、切欠き６２内に挿嵌された状態の軸部５１を切欠き６２開口側へ抜脱する方向（図７及び図８（ａ）の矢印Ｆ１、Ｆ２方向）の力が生じる。軸部５１は、この力を受けて切欠き６２内を移動すると、凸部６６、特に凸部６６ａ及び６６ｃで係止され、円弧部６６ａＲ、６６ｃＲと係合するので、切欠き６２開口側へ抜脱することが防止される。
【００１９】
上記のように構成された壁１によれば、壁面材３が取付具４を介してスライド自在に支柱２に取り付けられるので、支柱２の間隔に誤差があっても、壁面材３を支柱２に容易に取り付けることができる。
【００２０】
本実施形態に係る壁を用いれば、傾斜地での盛土構造を容易に作成できる。盛土構造を構成するには、本実施形態の壁を水平方向に拘束する振れ止めアンカーを傾斜地上部との間に設けた上で、壁の背面に発泡樹脂ブロックなどの軽量盛土材を配置する。この盛土構造において、軽量盛土材は現場発泡される発泡樹脂を用いればよい。また、本実施形態に係る壁を用いれば、防音壁を容易に作成することができる。防音壁の基礎は、コンクリート打ち込み等により作成される。
【００２１】
なお、本発明は、上記の実施形態の構成に限られず、発明の要旨を変更しない範囲で種々の変形が可能である。例えば、壁面材３の形状やその溝部３２の形状は任意の形態が可能である。
【符号の説明】
【００２２】
１  壁
２  支柱
３  壁面材
４  取付具
５  被取付金具
５１  軸部
５２  頭部
６  取付金具
６１  板状部材
６２  切欠き
【図１】
0005668188.tif 000002
【図２】
0005668188.tif 000003
【図３】
0005668188.tif 000004
【図４】
0005668188.tif 000005
【図５】
0005668188.tif 000006
【図６】
0005668188.tif 000007
【図７】
0005668188.tif 000008
【図８】
0005668188.tif 000009
【図９】
0005668188.tif 000010